(57)【要約】      （修正有）【課題】光源がコンタクトイメージセンサの片側のみに配置されている事により発生する原稿の紋様を適切に補正する読取装置を提供する。【解決手段】原稿を光学的に読み取る読取部により所定量、読み取られた読取データから輝度分布を取得し、輝度分布における所定の輝度に対応する度数に基づいて、原稿の端部領域を検出し、その端部領域の読取データを、端部領域と異なる領域の読取データの輝度値よりも輝度値を高くするように補正する。【選択図】図１１
2017038234.tif 000002
【特許請求の範囲】
【請求項１】
原稿を光学的に読み取る読取手段と、
前記読取手段により読み取られた読取データに基づいて、前記原稿の端部領域の読取データを、当該端部領域と異なる領域の読取データの輝度値よりも輝度値を高くするように補正する補正手段と、
を備えることを特徴とする読取装置。
【請求項２】
前記読取手段により所定量、読み取られた読取データから、輝度分布を取得する取得手段と、
前記取得手段により取得された前記輝度分布における所定の輝度に対応する度数に基づいて、前記端部領域を判定する判定手段と、
をさらに備えることを特徴とする請求項１に記載の読取装置。
【請求項３】
前記補正手段は、前記判定手段により判定された結果に応じて、輝度変換を行うための第１の補正テーブルから、前記第１の補正テーブルと異なる第２の補正テーブルに切り替えることにより、前記判定手段により前記端部領域と判定された領域の読取データを、前記端部領域と判定された領域と異なる前記原稿上の領域の読取データの輝度値よりも高くするように補正することを特徴とする請求項２に記載の読取装置。
【請求項４】
前記第１の補正テーブルは、第１の閾値以上の輝度を一定の輝度に変換し、
前記第２の補正テーブルは、第２の閾値以上の輝度を前記一定の輝度に変換し、
前記第１の閾値は、前記第２の閾値より小さい、
ことを特徴とする請求項３に記載の読取装置。
【請求項５】
前記判定手段は、前記原稿上における前記読取が行われた領域が、前記原稿の端を含む前記端部領域としての所定領域に含まれるか否かを判定し、
前記判定手段により、前記読取が行われた領域が前記所定領域に含まれると判定された場合、前記補正手段は、前記読取が行われた領域の読取データを補正するための補正テーブルとして前記第１の補正テーブルを決定し、
前記判定手段により、前記読取が行われた領域が前記所定領域に含まれないと判定された場合、前記補正手段は、前記読取が行われた領域の読取データを補正するための補正テーブルとして前記第２の補正テーブルを決定する、
ことを特徴とする請求項４に記載の読取装置。
【請求項６】
前記読取手段は、ライン型イメージセンサであり、
前記原稿の端は、前記ライン型イメージセンサの走査方向と交差する方向上に位置する、ことを特徴とする請求項５に記載の読取装置。
【請求項７】
前記補正テーブルは、前記読取データに表れる前記原稿の紋様を除去するためのテーブルであることを特徴とする請求項３乃至６のいずれか１項に記載の読取装置。
【請求項８】
原稿を光学的に読み取る読取手段を備える読取装置において実行される読取方法であって、
前記読取手段により読み取られた読取データに基づいて、前記原稿の端部領域の読取データを、当該端部領域と異なる領域の読取データの輝度値よりも輝度値を高くするように補正する補正工程、
を有することを特徴とする読取方法。
【発明の詳細な説明】
【技術分野】
【０００１】
本発明は、画像を読み取る読取装置および読取方法に関する。
【背景技術】
【０００２】
コンタクトイメージセンサ（以下ＣＩＳ）を読取部として用いた画像読取装置が実用化されている（特許文献１、特許文献２）。そのような画像読取装置では、ＣＩＳをコンタクトガラスに沿って画像読取装置本体フレーム内を移動させて、コンタクトガラス上に配置した原稿の画像を光学的に読み取る。特許文献１の画像読取装置では、走行体を削除することで、ＣＩＳの汎用性を失わさず、コスト低減と小型化を実現している。また、特許文献２の画像読取装置では、部品点数を少なくして構造の複雑化を抑え、コスト低減を実現している。
【先行技術文献】
【特許文献】
【０００３】
【特許文献１】特開平９−２６１４２４号公報
【特許文献２】特開２００７−４３６８４号公報
【発明の概要】
【発明が解決しようとする課題】
【０００４】
画像読取装置で、コスト低減化のために、ＣＩＳの光源が原稿からの反射光を読み取るセンサの中心位置の両側に配設されておらず、コスト低減のためにセンサの中心位置の片側にのみ配設されるような構成とすることがある。
【０００５】
そのような画像読取装置で原稿を読み取ると、原稿に固有の紋様が読取データに反映されることがあり、且つ、その反映の程度は、原稿の読取領域に応じて異なる。例えば、原稿先端については、紋様の影響は大きく、原稿先端以外の部分については、紋様の影響は小さくなる。紋様の影響を受けた読取データの補正は、輝度変換によりその影響分を除去することにより可能である。しかしながら、原稿全体に渡って同様の補正を行うと、原稿上の薄い画像がより薄くなってしまい、その結果、例えば青色再現性の低下などの画質の低下を生じさせてしまうことが考えられる。
【０００６】
本発明の目的は、このような従来の問題点を解決することにある。上記の点に鑑み、本発明は、原稿の読取データを適切に補正する読取装置および読取方法を提供することを目的とする。
【課題を解決するための手段】
【０００７】
上記課題を解決するため、本発明に係る読取装置は、原稿を光学的に読み取る読取手段と、前記読取手段により読み取られた読取データに基づいて、前記原稿の端部領域の読取データを、当該端部領域と異なる領域の読取データの輝度値よりも輝度値を高くするように補正する補正手段とを備えることを特徴とする。
【発明の効果】
【０００８】
本発明によれば、原稿の読取データを適切に補正することができる。
【図面の簡単な説明】
【０００９】
【図１】画像形成装置の外観斜視図である。
【図２】画像形成装置の内部構成の概要を示す図である。
【図３】画像読取装置のイメージセンサユニット周辺の構成を示す図である。
【図４】画像形成装置における制御系のブロック構成を示す図である。
【図５】原稿と読取データの画像との位置関係を示す図である。
【図６】両側光源を用いた読取データの画像を示す図である。
【図７】片側光源を用いた場合の原稿の先端部の読取画像を示す図である。
【図８】片側光源を用いた場合の原稿の先端部以外の部分の読取画像を示す図である。
【図９】読取データの輝度分布を示す図である。
【図１０】輝度値の変換テーブルを示す図である。
【図１１】変換テーブルの決定処理を示すフローチャートである。
【発明を実施するための形態】
【００１０】
以下、添付図面を参照して本発明の実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。なお、同一の構成要素には同一の参照番号を付して、説明を省略する。
【００１１】
図１は、画像形成装置の外観斜視図であり、図２は、画像形成装置の内部構成の概要を示す図である。以下、図１及び図２を参照しながら、画像形成装置の構成について説明する。図１に示すように、画像形成装置１００は、装置本体１０１と、装置本体１０１の上部に設けられた画像読取装置１０２と、画像読取装置１０２の上部に設けられた自動原稿供給装置（ＡＤＦ、オートドキュメントフィーダ）１０３とを含む。自動原稿供給装置１０３は、ヒンジ機構が設けられており、ユーザ操作により矢印Ａ方向に開閉可能である。画像形成装置１００は、コピー機能、プリンタ機能、ファクシミリ機能、及びこれらの複合機能を実現可能ないわゆるＭＦＰ（Ｍｕｌｔｉ  Ｆｕｎｃｔｉｏｎｎａｌ  Ｐｒｉｎｔｅｒ）である。しかしながら、図１に示すような構成ではなく、画像読取装置１０２が単独のスキャナとして構成される場合もある。
【００１２】
装置本体１０１は、画像読取装置１０２が光学的に原稿を読み取って生成した読取データに基づいてシート（記録媒体）に画像を形成する。画像形成とは、例えば複写（コピー）機能における印刷処理である。画像読取装置１０２は、画像を読み取って生成した読取データを装置本体１０１に組み込まれた記録装置本体１０５に送る。記録装置本体１０５は、例えば、ＬＥＤアレイを使用した電子写真記録方式や、インクジェット記録ヘッドを用いたインクジェット記録方式の記録装置（プリンター）である。図１では、記録装置本体１０５が電子写真記録方式の記録装置であるとして説明する。図１の操作部１０６は、表示部、入力キー等を備えており、ユーザによる画像形成装置１００への指示操作を受け付けたり、また、画像形成装置１００の電源状態や、ジョブ実行状況等を表示したりする。
【００１３】
また、装置本体１０１は、ＬＥＤ記録ヘッドユニット２０１、画像形成部２０２、カセット給紙部２０３、記録装置本体１０５の上部にシートＰを複数枚積載可能なように構成された記録シート排紙部２０４、カートリッジカバー部２０５を含む。また、装置本体１０１は、画像読取装置１０２と記録装置本体１０５とを接合する接合部２０６、ファクシミリ機能を有する装置の制御部２０７、両面搬送部カバー２０８、搬送方向切換部２０９、レジスト搬送部２１０を含む。また、装置本体１０１は、記録装置本体１０５内部に配置されたＭＰ（マルチペーパー）給紙部２１１、両面搬送部２１２を含む。
【００１４】
自動原稿供給装置１０３は、原稿載置台１０４に置かれたシート原稿を１枚ずつ分離して画像読取装置１０２に供給する。画像読取装置１０２は、自動原稿供給装置１０３により流し読みガラス２１３上に送り込まれるシート原稿をイメージセンサユニット２１４で読み取る。また、画像読取装置１０２は、原稿台ガラス２１５上に置かれたシート原稿或いはブック原稿を、ライン型イメージセンサユニット２１４を副走査方向に移動させながら読み取る。副走査方向は、図２における左右方向である。また、主走査方向は、副走査方向に対して交差する方向であり、図１における矢印Ｂ方向である。主走査方向は、ライン型イメージセンサユニット２１４のライン方向に対応する。自動原稿供給装置１０３は、ＡＤＦ分離部２２０、排紙搬送部２１６、原稿排紙部２１７、ブック原稿を押圧する原稿押え板２１８、シート原稿搬送部２１９を含む。
【００１５】
図３は、画像読取装置１０２のライン型イメージセンサユニット周辺の構成を示す図である。本実施形態では、ＲＧＢのＬＥＤ等の光源から照射され、原稿台ガラス２１５上に置かれた原稿３０３からの反射光を、ライン型イメージセンサユニットのＣＣＤ等のイメージセンサが光学的に読み取る。本実施形態では、ライン型イメージセンサユニットとして、光源がセンサの中心位置の片側にのみ配設されたＣＩＳ（コンタクトイメージセンサ）２１４が用いられる。
【００１６】
図３に示すように、画像読取装置１０２の上部には原稿台ガラス２１５、流し読みガラス３０１が設けられる。原稿台ガラス２１５の端部には白色基準板３０２が設けられ、白色基準板３０２以外の原稿台ガラス２１５上の領域に原稿３０３を載置できる。ＣＩＳ２１４の中心位置にはセルフォックレンズ３０８が設けられ、セルフォックレンズ３０８の直下にはイメージセンサ３０９が構成される。光源３０７は、ＣＩＳ２１４の中心位置に対して片側にのみ構成されていて、セルフォックレンズ３０８の位置より原稿後端側から光線を照射するようになっている。ＣＩＳ２１４は、シャフト３０４上に配設されており、駆動ベルト３０５に固定されている。駆動ベルト３０５はモータ３０６に連結しており、モータ３０６の回転によってＣＩＳ２１４がシャフト３０４上を滑りながら原稿台ガラス２１５に相対的に移動して、原稿３０３の原稿画像を読み取る。
【００１７】
図４は、画像形成装置１００における制御系のブロック構成を示す図である。図４では、画像形成装置１００の制御系の一例として、リーダ部４０１と、コントローラ４０６と、プリンタエンジン４０９とを示している。リーダ部４０１は画像読取装置１０２に対応し、コントローラ４０６は装置本体１０１に対応し、プリンタエンジン４０９は記録装置本体１０５に対応する。
【００１８】
リーダ部４０１は、ＣＩＳ２１４からのアナログ出力信号をＡＦＥ（アナログフロントエンド）４０２で処理し、デジタル画像データ（読取データ）としてシェーディング補正回路４０３に出力する。シェーディング補正回路４０３は、読取データに対して白色基準板３０２に起因する輝度ムラ等を補正するシェーディング補正を行い、リーダ部４０１の画像処理回路４０４に出力する。画像処理回路４０４は、シェーディング補正された読取データに対して紙紋の検出・判定等の各種画像処理を行い、制御回路４０５に処理結果を通知しながら、コントローラ４０６の画像処理回路４０７に読取データを出力する。画像処理回路４０７は、読取データに対して紙紋除去や拡大・縮小等の指定された各種画像処理を行い、プリンタエンジン４０９の画像処理回路４１０に出力する。画像処理回路４１０は、入力された読取データに対して、トナー色等の印刷空間への色空間変換処理、マッピング処理等、記録動作固有の画像処理を実行し、記録データとしてレーザダイオード（ＬＤ）ドライバ４１１に出力する。ＬＤドライバ４１１は、記録データに基づいてレーザダイオード４１２から感光ドラム上に照射されるレーザビームを変調するようレーザダイオード４１２を制御する。
【００１９】
上記の「紙紋」とは、原稿等の用紙の下地に特有の紋様であり、繊維の絡み合いで生じる凹凸の様子を表すものである。繊維の絡み具合は紙種によって異なり、人の指紋になぞらえて以下、「紙紋」と呼ぶ。紙紋は、図７や図８に示すように、読取データに反映されると画質低下の一因となってしまう。本実施形態では、図１０に示すような所定の輝度以上を一定の輝度に変換するような補正テーブルにより、輝度変換補正を読取データに対して行うことにより、上記の「紙紋」を除去することが行われる。
【００２０】
図３に示すようなライン型イメージセンサユニットで原稿を読み取る場合がある。その場合、例えば、ＣＩＳの光源が原稿からの反射光を読み取るセンサの中心位置に対して片側にのみ配設された構成では、原稿先端は紙紋画像の発生が多く、原稿先端以外は紙紋画像の発生は少なくなる。一方、ＣＩＳの光源が原稿からの反射光を読み取るセンサの中心位置に対してもう一方の片側にのみ配設された構成では、逆に、原稿後端は紙紋画像の発生が多く、原稿後端以外は紙紋画像の発生は少なくなる。いずれの構成においても、原稿端部の紙紋画像の除去を行う処理を原稿全面に適用すると、原稿先端部以外の部分においては、原稿上の薄い画像がさらに薄くなってしまい、例えば青色再現性が低下してしまうおそれがある。本実施形態では、後述するような処理によって、紙紋除去と画質の維持を両立させることができる。
【００２１】
再び、図４を参照する。制御回路４０５はリーダ部４０１を制御し、エンジンコントローラ４１３はプリンタエンジン４０９を制御する。コピー等の複写機能は、システムコントローラ４０８が、画像処理回路４０７、制御回路４０５、エンジンコントローラ４１３を連携的に制御することによって実現される。操作部１０６は、パネルディスプレイ等の表示部や、ハードウェアキー等を備え、画像形成装置１００が実行可能な各機能についての設定画面上でのユーザ操作を受け付ける。操作部１０６が受け付けたユーザ操作は、システムコントローラ４０８に出力される。
【００２２】
制御回路４０５、システムコントローラ４０８、エンジンコントローラ４１３はそれぞれ、汎用的なＣＰＵ、ＲＯＭ、ＲＡＭを含んで構成される。制御回路４０５のＣＰＵは、画像読取装置１０２を統括的に制御し、エンジンコントローラ４１３のＣＰＵは、記録装置本体１０５を統括的に制御する。システムコントローラ４０８のＣＰＵは、制御回路４０５及びエンジンコントローラ４１３の各ＣＰＵと通信し、若しくは、各ＣＰＵを制御することにより、画像形成装置１００が実行可能な機能を実現する。
【００２３】
システムコントローラ４０８のＲＯＭやＲＡＭ等の記憶部には、画像形成装置１００を起動させるためのプログラムや各機能の実行についての設定パラメータ、本実施形態の動作を実現するためのプログラムやテーブル等が格納されている。例えば、システムコントローラ４０８のＣＰＵがそれらのプログラムをＲＯＭからＲＡＭに読み出して実行することにより、本実施形態の動作をコンピュータとしての画像形成装置１００で実現させることができる。
【００２４】
図５は、原稿と読取データの画像との位置関係を示す図である。矢印Ｒ方向にＣＩＳ２１４が移動しながら読み取りが行われるため、図の上方が開始部であり、原稿先端側である。先端部５０１内の任意領域で得られる画像が図６に示され、先端部以外の部分５０２内の任意領域で得られる画像が図７で示されている。
【００２５】
図６は、従来の両側光源を用いた読取データによる良好な画像を示す。
【００２６】
図７は、片側光源を用いた読取データの開始部すなわち原稿の先端部５０１の読取画像を示す図である。光源３０７は、ＣＩＳ２１４の中心位置に対して片側にのみ構成されていて、セルフォックレンズ３０８の位置より原稿後端側から光線を照射するようになっているため、原稿先端は画像に紙紋成分が多く存在している。
【００２７】
図８は、片側光源を用いた読取データの開始部以外、即ち、原稿の先端部以外の部分５０２の読取画像である。図７と同様な片側光源での読取画像であるが、原稿先端を過ぎると原稿台ガラス２１５上に置かれた原稿３０３からの反射光が増加するために、紙紋成分の存在が減少している。このように、原稿からの反射光量の変化のために、原稿上の紙紋成分の存在の程度に変化が生じる。
【００２８】
図９は、読取データの輝度分布を示す図であり、図１０は、輝度値の変換テーブルを示す図である。以下、図９及び図１０を参照しながら、本実施形態の紙紋除去方法について説明する。
【００２９】
図９のヒストグラム９０１は、先端部５０１内の任意領域の読取画像から取得されたものである。これに対して、ヒストグラム９０２は、先端部以外の部分５０２内の任意領域の読取画像から取得されたものである。ヒストグラム９０１とヒストグラム９０２を比較すると、紙紋の発生具合の違いが表れており、任意の輝度Ｋ１に着目すれば度数差Ｄ１が発生している。
【００３０】
紙紋成分が発生しない場合の変換テーブル９０６に対して、紙紋成分が発生する場合の変換テーブル９０７は、原稿の先端部５０１に発生する紙紋成分を除去するのに適した設定となっている。従って、変換テーブル９０７で処理された読取データは、その任意領域からそれぞれ取得されるヒストグラム９０３とヒストグラム９０４になり、紙紋成分が除去された良好な画像となっている。
【００３１】
ここで、ヒストグラム９０３に比べてヒストグラム９０４は、任意の輝度Ｋ１に着目すると、度数差Ｄ２だけ読取データがより変換されていることになる。この場合、原稿上の薄い画像（文字）がより薄くなるように変換される。特に、原稿の先端部以外の部分５０２には薄い画像（文字）が存在することがあり得る。そこで、本実施形態では、先端部以外の部分５０２内の任意領域の画像から取得されたヒストグラム９０２をヒストグラム９０３相当に変換可能に設定されている変換テーブル９０８を用いる。その結果、先端部以外の部分５０２は紙紋が除去されるとともに、画質の低下を防ぐことができる。
【００３２】
ヒストグラム９０５は、原稿の先端部以外の部分５０２の文字成分の多い読取画像から取得されたものである。文字成分は黒成分が多いため、ヒストグラム９０２に比べるとヒストグラム９０５は低輝度の度数分布が多くなっている。しかしながら、紙紋成分を特徴的に表す輝度Ｋ２に着目すると度数Ｎ１は等しい数となっており、先端部以外の部分５０２の任意領域の紙紋成分の特徴は、輝度Ｋ２で度数Ｎ１であることが分かる。これに対して先端部５０１の任意領域の紙紋成分の特徴は、ヒストグラム９０１の輝度Ｋ２が度数Ｎ２であることが分かる。従って、本実施形態では、輝度Ｋ２の度数がＮ１であるか若しくはＮ２であるかに基づいて、読取データによる画像が原稿の先端部５０１であるか、又は先端部以外の部分５０２であるかを判定する。また、本実施形態では、閾値としての度数Ｎ３を、輝度Ｋ２の度数がＮ１であるか若しくはＮ２であるかの判定の基準として用いる。
【００３３】
図１０の変換テーブル９０７は、ヒストグラム９０１から判断された紙紋成分を多く含む輝度２４４以上を除去することができるテーブルである。また、輝度１２８から輝度２４４の範囲では徐々に変換するようになっており、紙紋成分のみを除去した場合の画像の不自然さを軽減させている。また、変換テーブル９０８は、ヒストグラム９０２から判断された輝度２４９（Ｋ２）以上を除去することができるテーブルとなっており、先端部５０１の紙紋成分の除去効果をより抑えたテーブルとなっている。図１０に示すように、変換テーブル９０７は、所定の範囲（１２８〜２４９）において、変換テーブル９０８よりも変換後の輝度を高くすることができる。
【００３４】
本実施形態では、原稿の読取において、所定の輝度Ｋ２の度数に基づいて、原稿の先端部５０１を読み取っているのか、若しくは、原稿の先端部以外の部分５０２を読み取っているのかを判定する。そして、原稿の先端部５０１を読み取っていると判定された場合には、変換テーブル９０７を用いて紙紋除去を行う。また、原稿の先端部以外の部分５０２を読み取っていると判定された場合には、紙紋除去効果を低減させた変換テーブル９０８を用いて指紋除去を行う。その結果、紙紋発生が多い先端部５０１においては、適切に紙紋を除去し、紙紋発生が少ない先端部以外の部分においては、紙紋除去を行うとともに、文字が薄くなるなどの画質の劣化を防ぐことができる。
【００３５】
変換テーブル９０７及び変換テーブル９０８はシステムコントローラ４０８の制御ソフト内部に実装されており、画像処理回路４０７によって紙紋を除去または軽減する画像処理が実行されるようになっている。
【００３６】
図１１は、変換テーブルの決定（切り替え）処理を示すフローチャートである。図１１の処理は、例えば、ＲＯＭに記憶されたプログラムをＲＡＭに読み出すことにより実現される。操作部１０６上でユーザによる読取開始指示を受け付けると、システムコントローラ４０８が、画像処理回路４０４への読取設定を開始するよう制御回路４０５を指示する。また、制御回路４０５は、画像処理回路４０４を制御して図１１の各処理を実行する。
【００３７】
Ｓ１において、制御回路４０５は、読取データによる読取画像の紙紋成分を判定するための判定対象領域に対応する読取ライン数を設定する。１つの読取ラインは、例えば、ライン型イメージセンサにおける一走査に対応する。Ｓ２において、制御回路４０５は、紙紋を特徴的に表す輝度Ｋ２を設定する。輝度Ｋ２は、例えば、図９及び図１０に示す輝度２４９である。Ｓ３において、制御回路４０５は、読取データの判定対象領域上の輝度の度数を判定するための基準となる閾値Ｎ３を設定する。閾値Ｎ３は、例えば、図９に示す３００００である。
【００３８】
読取ライン数、輝度Ｋ２、閾値Ｎ３は、予め定められた値であっても良いし、設定画面上でユーザから受け付けた設定値に基づく値であっても良い。例えば、原稿上の一端からの所定領域（端部領域）の設定や、読取画像の画質を設定するための設定画面上で受付けた設定値に基づく値であっても良い。
【００３９】
Ｓ４において、システムコントローラ４０８は、紙紋除去のための輝度変換を行うための変換テーブルとして、変換テーブル９０７（第１の変換テーブル）を設定する。その後、Ｓ５において、制御回路４０５は、原稿の読取動作を開始する。原稿の読取動作は、一般的に原稿を光学的に読み取る動作である。
【００４０】
Ｓ６において、制御回路４０５は、読取ラインごとに、ラインデータを取得する。その際に、制御回路４０５は、ラインデータを取得済みの読取ライン数をＲＡＭ等の記憶領域に記憶する。Ｓ７において、制御回路４０５は、ラインデータ取得済みの読取ライン数が、Ｓ１で設定された読取ライン数に到達したか否かを判定する。ここで、ラインデータ取得済みの読取ライン数がＳ１で設定された読取ライン数に到達したと判定された場合、Ｓ８に進む。一方、到達していないと判定された場合、記憶領域に記憶されている読取ライン数をインクリメントしてＳ５の処理を繰り返す。Ｓ５〜Ｓ７の処理により、判定対象領域に対応する所定量（所定の読取ライン数分）のラインデータが取得される。
【００４１】
Ｓ８において、画像処理回路４０４は、Ｓ６で取得された判定対象領域に対応するラインデータから、輝度と画素数とが対応付けられた輝度分布（ヒストグラム）を取得する。Ｓ９において、画像処理回路４０４は、Ｓ８で取得された輝度分布上で、Ｓ２で設定された輝度Ｋ２の画素数（度数）を取得する。
【００４２】
Ｓ１０において、制御回路４０５は、Ｓ９で取得された度数が、Ｓ３で設定された閾値Ｎ３より小さいか否かを判定する。ここで、閾値Ｎ３より小さいと判定された場合、現在の判定対象領域は先端部以外の部分５０２であるということである。従って、Ｓ１１において、制御回路４０５は、紙紋除去のために用いる変換テーブルを変換テーブル９０８に決定した結果をシステムコントローラ４０８に通知する。すると、システムコントローラ４０８は、変換テーブル９０７から変換テーブル９０８へ設定を切り替える。そして、Ｓ１２において、制御回路４０５は、先端部以外の部分５０２の読取動作を行う。その後、図１１の処理を終了する。上記のＳ１０からＳ１１に進む場合とは、読取動作が原稿の先端部５０１から先端部以外の部分に移行したということを表している。
【００４３】
一方、Ｓ１０で閾値Ｎ３より小さくない（閾値以上）と判定された場合、現在の判定対象領域は先端部５０１である。従って、紙紋除去のために用いる変換テーブルを変換テーブル９０７と決定するため、変換テーブルの切り替えは行わず、Ｓ５からの処理を繰り返す。
【００４４】
図１１の処理において、制御回路４０５から制御される画像処理回路４０４は、読取動作を停止することなくＳ６〜Ｓ１０の処理を実行し、各種処理結果を制御回路４０５に通知する。制御回路４０５は、その各種処理結果をシステムコントローラ４０８に通知する。
【００４５】
以上のように、本実施形態では、紙紋発生が多い先端部５０１においては、適切に紙紋を除去し、紙紋発生が少ない先端部以外の部分においては、紙紋除去を行うとともに、文字が薄くなるなどの画質の劣化を防ぐことができる。
【符号の説明】
【００４６】
４０１  リーダ部：  ４０４、４０７  画像処理回路  ４０５  制御回路：  ４０６  コントローラ：  ４０８  システムコントローラ
【図１】
2017038234.tif 000003
【図２】
2017038234.tif 000004
【図３】
2017038234.tif 000005
【図４】
2017038234.tif 000006
【図５】
2017038234.tif 000007
【図６】
2017038234.tif 000008
【図９】
2017038234.tif 000009
【図１０】
2017038234.tif 000010
【図１１】
2017038234.tif 000011
【図７】
2017038234.tif 000012
【図８】
2017038234.tif 000013